(57)【特許請求の範囲】
【請求項１】
スキャナ構造体の四隅の内の三隅が３点の支柱でそれぞれ支持されるスキャナ構造体を有する複写機において、
（イ）前記スキャナ構造体の四隅の内の、支柱で支持されていない、一隅の部分に、スキュー／直角性調整機構が設けられ、
（ロ）前記スキュー／直角性調整機構が、前記スキャナ構造体の四隅の内の、支柱で支持されていない、一隅の部分に締結され、そして、
（ハ）前記スキュー／直角性調整機構に、前記スキャナ構造体のスキュー／直角性量に応じて回転される偏心カムが、前記スキャナ構造体の四隅の内の、支柱で支持されていない、一隅の部分の高さを調整するように係合されている
ことを特徴とする複写機。
【発明の詳細な説明】
【０００１】
【発明の属する技術分野】
本発明は、スキャナとプロッタ側とが一体となっている複写機であって、とくに、スキャナ構造体の四隅の内の三隅が３点の支柱でそれぞれ支持されるスキャナ構造体を支えている複写機（電子写真装置）に関するものである。
【０００２】
【従来の技術】
キャリアのローリング調整を行うために、スキャナ装置のキャリアが偏心軸を回転させてキャリアをローリングさせることによってスキューを調整することは知られており（例えば、特許文献１参照）、また、キャリアに相当するダハミラーユニットのダハミラーの高さを調整する機構を設けることも知られている（例えば、特許文献２参照）。しかしながら、上記特許文献１に記載された複写機においては、キャリアの調整はスキューのみの調整であるので、スキャナ装置の本体搭載時の歪みから起こる直角性（台形画像）を調整することはできない。また、特許文献２に記載された複写機も同じ欠点を有している。
【０００３】
従来における複写機は、おおまかに言って、原稿画像を読み取るスキャナ部とスキャナ部によって読み取った画像データの印刷を行うプロッタ部との２つの部分から構成されている。最近では、ユーザーが印刷された転写紙の操作性（取り出し性）を良くするために、スキャナ構造体の四隅の内の三隅が３点の支柱によってスキャナ構造体が支持されているものが多い。図４は３点の支柱によって支持されたスキャナ構造体を有する従来の複写機を示す概略図である。電子写真装置（複写機）１は、大きく分けると、原稿読み取りを行うスキャナ部２と、原稿を読みとったデータを像担持体上へレーザ光によって潜像を作り、そこにトナー像を移し、そのトナー像を紙へ転写するプロッタ部３の２つの部分によって構成されている。現在では、複写機１のスキャナ構造体２とプロッタ部３の構成において、印刷された転写紙の操作性（取り出し性）を良くするために、図４に示されているように、３点の支柱６によってスキャナ構造体２を支持する複写機が多くなってきている。即ち、排紙部の直上に位置するスキャナ構造体２の四隅を支柱６により支持すると何れかの支柱が排紙部に排出された用紙の取出しの障害となるが、取出し側に位置する支柱の一つを除去した３点の支柱とすることによりそのような問題がなくなる。
【特許文献１】
特開平７−８４４４１号公報
【特許文献２】
特開平８−９４９１２号公報
【０００４】
【発明が解決しようとする課題】
図５は、スキャナ部の構造体の歪みを説明する図４におけるＡ矢視の概略図である。３点の支柱によってスキャナ構造体２を支える構成であるので、１点で支えていない所があると、スキャナの重量により、スキャナ構造体２が歪み（１０）、プロッタ部３の側板５が変形（１３）してしまう。図６は、スキュー（画像先端傾き）および直角性（９０°で交差する２つの直線の角度）を説明する概略図である。スキャナ構造体２の構造体が歪み、プロッタ部３の側板５が変形してしまう状態になると、スキャナ構造体２の特性値であるスキュー１１（画像先端傾き）や直角性１２（９０°で交差する２つの直線の角度）が悪くなるので、コピー画像としてもスキュー／直角性が悪くなってしまう。また、スキャナ部２の上には、自動原稿読み取り装置（ＡＤＦ）４が搭載されることもあり、そのような場合には、重量がさらに増すので、スキャナ構造体２の歪み、側板の歪みが大きくなり、スキュー／直角性は悪くなる。
【０００５】
このように、３点の支柱が設けれている場合には、輸送等の振動により、スキャナ部２の構造体が歪んでしまうので、複写機製造現場のスキュー／直角性検査では問題無かった製品が、ユーザー先ではスキュー／直角性が悪くなってしまうという問題があった。この３点の支柱によるスキャナ部の支持では、スキャナ部が歪むので、その歪みによりスキュー／直角性が悪くなり、そのために、良好な画像を得ることができないという問題があった。
【０００６】
本発明は、かかる問題を解決することを目的としている。
【０００７】
即ち、本発明は、スキャナ構造体の歪みから起こるスキュー／直角性をユーザー先で調整することによっていっそう良好な画像を取ることができる複写機を提供することを目的としている。
【０００８】
【課題を解決するための手段】
前記の課題を解決するために、請求項１に記載された発明は、スキャナ構造体の四隅の内の三隅が３点の支柱でそれぞれ支持されるスキャナ構造体を有する複写機において、
（イ）前記スキャナ構造体の四隅の内の、支柱で支持されていない、一隅の部分に、スキュー／直角性調整機構が設けられ、
（ロ）前記スキュー／直角性調整機構が、前記スキャナ構造体の四隅の内の、支柱で支持されていない、一隅の部分に締結され、そして、
（ハ）前記スキュー／直角性調整機構に、前記スキャナ構造体のスキュー／直角性量に応じて回転される偏心カムが、前記スキャナ構造体の四隅の内の、支柱で支持されていない、一隅の部分の高さを調整するように係合されている
ことを特徴とする複写機である。
【０００９】
【発明の実施の形態】
以下、図面により本発明の実施の形態を詳細に説明する。図１は、本発明による複写機の実施の形態を示す概略図である。複写機１はプロッタ部３上に３点の支柱６（図４参照）で支持されているスキャナ構造体（スキャナ部）２を有し、支柱６で支持されていない一点（図面右側）は、高さ調整可能なＢＫＴ（スキュー／直角性調整機構）７に締結されている。そのＢＫＴ７を高さ方向に移動可能とさせるために、偏心カム８が設置されている。
【００１０】
図２は、図１のスキャナ構造体近傍を拡大して示す概略図である。偏心カム８を回転させることによって、支柱６で支えていない１点のスキャナ構造体２の高さを調整することによって、スキャナ構造体２の歪み分や側板の歪み分を矯正することができる。これによって、スキャナ構造体２の歪み、側板の歪みから起こるスキュー／直角性を調整することができ、良好な画像を得ることができる。
【００１１】
図３は偏心カムの回転角度とスキューの関係を示す特性図である。スキャナ構造体２の位置（高さ）を決める偏心カムの回転量について、スキャナ構造体２がプロッタ部３へ搭載されたときのスキャナ構造体２のスキュー／直角性のデータからカム回転量を決める。
複写機１のコピー画像から、スキャナ構造体それ自体が持つスキュー／直角性を測定することができる（これは周知の技術）。そのスキュー／直角性の量からカム回転量を求めることによって、スキャナ部とプロッタ部３が合体したシステムとしてのスキュー／直角性を良くすることができ、良好な画像を得ることができる。
【００１２】
通常、工場出荷時には各製品のスキュー／直角性は、調整・検査をして出荷され、ユーザー先へ輸送される。３点の支柱によって支持されたスキャナ構造体では、輸送時の振動により、スキャナ構造体を支えている部材や側板等が微少に変形するので、スキュー／直角性は、工場出荷時は良くても、ユーザー先では、悪化してしまう場合がある。
【００１３】
また、ユーザー先では、オプションとして自動原稿読み取り装置が設置される場合がある。工場出荷時は、自動原稿読み取り装置無しでスキュー／直角性を検査しているので、ユーザー先では、自動原稿読み取り装置の重量によりスキャナ構造体を支えている部材、側板が変形してスキュー／直角性が悪化してしまう場合がある。したがって、本発明のように、製品（複写機）に偏心カムによるスキュー／直角性の調整機構が設けられ、そのスキュー／直角性調整機構に、前記スキャナ構造体のスキュー／直角性量に応じて回転される偏心カムが、前記スキャナ構造体の四隅の内の、支柱で支持されていない、一隅の部分の高さを調整するように係合されているものであると、ユーザー先でその一隅の部分の高さを調整をすることができ、そのために、いっそう良好な画像を得ることができる。
【００１４】
ユーザー先で製品を使用するにあたって、ユーザーが支柱の無い所に寄り掛かってしまい、スキャナ構造体を支えている部材や側板等が変形したりする。また自動原稿読み取り装置の開閉作業によっても、スキャナ構造体を支えている部材や側板等が変形する場合がある。したがって、ユーザーへの着荷時に最初にサービスマンがスキュー／直角性を調整しても、経時でスキュー／直角性が変化してしまう場合がある。本発明の複写機は、そのような問題も、電源オン時にその製品のスキュー／直角性の値を自動的にその製品が読み取り、自動的に偏心カムを回転させてスキュー／直角性を調整することによって、経時にわたって良好な画像を得ることができる。
【００１５】
【発明の効果】
以上説明したように、請求項１によれば、スキャナ構造体の四隅の内の三隅が３点の支柱でそれぞれ支持されるスキャナ構造体を有する複写機において、（イ）前記スキャナ構造体の四隅の内の、支柱で支持されていない、一隅の部分に、スキュー／直角性調整機構が設けられ、 （ロ）前記スキュー／直角性調整機構が、前記スキャナ構造体の四隅の内の、支柱で支持されていない、一隅の部分に締結され、そして、（ハ）前記スキュー／直角性調整機構に、前記スキャナ構造体のスキュー／直角性量に応じて回転される偏心カムが、前記スキャナ構造体の四隅の内の、支柱で支持されていない、一隅の部分の高さを調整するように係合されているので、スキャナ構造体の歪みから起こるスキュー／直角性をユーザー先で調整することによっていっそう良好な画像を得ることができる複写機を提供することができる。
【図面の簡単な説明】
【図１】  本発明による複写機の実施の形態を示す概略図である。
【図２】  図１のスキャナ構造体近傍を拡大して示す概略図である。
【図３】  偏心カムの回転角度とスキューの関係を示す特性図である。
【図４】  ３点支柱によるスキャナ構造体を有する従来の複写機を示す概略図である。
【図５】  図４のスキャナ部の構造体の歪みを説明する概略図である。
【図６】  スキュー（画像先端傾き）および直角性（９０°で交差する２つの直線の角度）を説明する概略図である。
【符号の説明】
１ 複写機
２ スキャナ構造体
３ プロッタ部
６ 支柱
７ 移動可能なＢＫＴ（スキュー／直角性調整機構）
８ 偏心カム
【図１】
0004183552.tif 000002
【図２】
0004183552.tif 000003
【図３】
0004183552.tif 000004
【図４】
0004183552.tif 000005
【図５】
0004183552.tif 000006
【図６】
0004183552.tif 000007